(57)【要約】【課題】延長電気コードのプラグをコンセントに差し込む時、当該部分が雨で濡れるおそれがなく、作業者が感電するおそれのない、屋外型コードリールを提供する。【解決手段】スタンド本体２に対し延長電気コード１０の巻取りドラム３が回転可能に支持され、スタンド本体２に巻取りドラム３の外周に対向して延在する脚部６と取っ手部７とを備え、巻取りドラム３のフランジ９の端面に延長電気コード１０の末端の１個または複数個のコンセント１１が取り付けられてなる屋外型コードリールであって、前記のフランジ部９の端面にそのすべてのコンセント１１，１１・・・を覆う筒状の防雨カバー４を装着固定した。【選択図】図１
0003111318.tif 000002
【実用新案登録請求の範囲】
【請求項１】
スタンド本体に対し電気コードの巻取りドラムが回転可能に支持され、スタンド本体に巻取りドラムの外周に対向して延在する脚部と取っ手部とを備え、巻取りドラムのフランジの端面に前記電気コードの末端の１個または複数個の接続端子が取り付けられてなる屋外型コードリールにおいて、前記のフランジの端面にそのすべての接続端子を覆う筒状の防雨カバーが装着固定されていることを特徴とする屋外型コードリール。
【請求項２】
筒状の防雨カバーは、フランジの端面に固定される筒体と、この筒体に装着される防水性材質の可撓性のある筒状のシートとからなることを特徴とする請求項１記載の屋外型コードリール。
【請求項３】
筒状の防雨カバーは、筒状部分の軸方向長さが少なくとも１５ｃｍであることを特徴とする請求項１または請求項２記載の屋外型コードリール。
【請求項４】
筒状の防雨カバーの開口部に、この開口部を閉じることのできる開閉部材を設けたことを特徴とする請求項１ないし請求項３記載の屋外型コードリール。
【考案の詳細な説明】
【技術分野】
【０００１】
本考案は、降雨時の屋外作業において、感電することを防ぐようにした屋外型コードリールに関する。
【背景技術】
【０００２】
一般にこの種のコードリールは、電源から離れた作業域で電動工具等を使用する場合に用いられ、まず電源に接続したコードリールを作業域近くまで運び、これに延長電気コードを介して電動工具等を接続するようにしている。延長電気コードはコードリールのフランジの端面に取り付けられた接続端子であるコンセントにプラグを差し込んで使用するようにしている。このようなコードリールとしては種々の構造が提供されている（特許文献１、特許文献２参照）。
【０００３】
【特許文献１】特開２００２−２２６１４３号公報
【特許文献１】特開２００４−３９３６８号公報
【考案の開示】
【考案が解決しようとする課題】
【０００４】
しかしながら、このようなコードリールを屋外で降雨時に使用する場合、コードリールのフランジの端面からコンセントが剥き出しであるため、延長電気コードのプラグをコンセントに差し込む時、当該部分が雨で濡れて作業者が感電するおそれがあり、その場合、作業に支障をきたすことになる。
【０００５】
本考案は上記問題点に鑑みてなされたもので、延長電気コードのプラグをコンセントに差し込む時、当該部分が雨で濡れるおそれがなく、作業者が感電するおそれのない、屋外型コードリールを提供することを目的とする。
【課題を解決するための手段】
【０００６】
上記課題を解決するために、本考案の請求項１に係る屋外型コードリールは、スタンド本体に対し延長電気コードの巻取りドラムが回転可能に支持され、スタンド本体に巻取りドラムの外周に対向して延在する脚部と取っ手部とを備え、巻取りドラムのフランジの端面に前記延長電気コードの末端の１個または複数個の接続端子が取り付けられてなる屋外型コードリールであって、前記のフランジの端面にそのすべての接続端子を覆う筒状の防雨カバーを装着固定したことを特徴とする。
【０００７】
フランジの端面に装着固定した筒状の防雨カバーですべての接続端子を覆うことにより、延長電気コードのプラグをコンセントに差し込む時、当該部分が雨で濡れるおそれがなく、作業者が感電するおそれがなくなる。
【０００８】
本考案の請求項２に係る屋外型コードリールは、筒状の防雨カバーを、フランジの端面に密着固定される防水性のある筒体と、この筒体に装着される防水性材質の可撓性のある筒状シートとからなることを特徴とする。
【０００９】
降雨時以外には可撓性のある筒状シートをコンパクトに折り畳むことができるので、屋外型コードリールの出っ張りを最小限にすることができる。一方、降雨時には筒状シートを引き出して使用することができる。
【００１０】
本考案の請求項３に係る屋外型コードリールは、筒状の防雨カバーが、筒状部分の軸方向長さを少なくとも１５ｃｍとすることを特徴とする。
【００１１】
作業者の手首付近までカバーで覆うことができ、降雨中であっても、手首から先が濡れずに、延長電気コードによる接続端子への接続作業を行うことができる。
【００１２】
本考案の請求項４に係る屋外型コードリールは、筒状のシートの開口部にこの開口部を閉じることのできる開閉部材を設けたことを特徴とする。
【００１３】
接続端子への接続作業後は、先端開口部を閉じることにより、風雨によっても接続端子付近が濡れることが無く、接続端子からの延長電気コードの抜き取り作業においても感電することがない。先端開口部は完全に閉じる必要は必ずしもなく、風雨によって接続端子付近が濡れない程度に半分閉じるだけでもよい。
【考案の効果】
【００１４】
以上説明したように、本考案に係る屋外型コードリールによると、フランジの端面に装着固定した筒状の防雨カバーですべての接続端子を覆うことにより、延長電気コードのプラグをコンセントに差し込む時、当該部分が雨で濡れるおそれがなくなり、作業者が感電するおそれがなくなるという効果を奏する。
【考案を実施するための最良の形態】
【００１５】
本考案を実施するための最良の形態を図１ないし図３を参照して説明する。図１ないし図３に示すように、本考案の屋外型コードリール１は、スタンド本体２と、このスタンド本体２に対して回転可能に支持された巻取りドラム３と、防雨カバー４とから構成されている。
【００１６】
スタンド本体２は、自身の自由端に抜け止め用のナット５ａを備え、巻取りドラム３を回転可能に片持ち支持する回転支持軸５と、巻取りドラム３の下方に位置するコ字状の脚部６と、巻取りドラム３の上方に位置する取っ手部７とを、１本のパイプ材を折り曲げて形成している。
【００１７】
巻取りドラム３は、所定の径に形成された巻取り外周面を備えるドラム本体８と、このドラム本体８の両端に形成された大径のフランジ９，９とから構成されている。この巻取りドラム３は、スタンド本体２の回転支持軸５に対し軸受け部を介して回転可能に片持ち支持されている。ドラム本体８の巻取り外周面には、引き出し端側にプラグ１０ａを備えた所定長さの延長電気コード１０が引き出し可能に巻回されている。
【００１８】
この延長電気コード１０の末端部はドラム本体８内に固定されるとともに、ドラム本体８の自由端側のフランジ９に組み込まれた複数個（図３では４個）のコンセント（接続端子）１１に接続されている。
【００１９】
防雨カバー４は、自由端側のフランジ９の端面のすべてのコンセント１１を覆う大きさの筒体１２と、この筒体１２の先端に接着テープ１３で装着された筒状カバー１４とから構成されている。筒体１２は、防水性および絶縁性のある樹脂製からなる。また、筒状カバー１４は防水性が高く薄い可撓性のあるナイロン製等からなる。筒状カバー１４は、布シートに防水処理を施したものを使用してもよい。
【００２０】
筒状カバー１４の先端開口部１４ａには紐通し孔１５が周囲に設けられるとともに、紐通し孔１５に通された紐１６によって先端開口部１４ａを絞ることができるようになっている。
【００２１】
このような防雨カバー４は、筒体１２の後端面に塗布された接着剤等の固定手段によって自由端側のフランジ９の端面に、そのすべてのコンセント１１を覆うようにして装着
固定されている。また、筒状カバー１４は、接着剤によって筒体１２の外周面に直接装着するようにしてもよく、あるいは、締付リングを用いて筒体１２の外周面に着脱可能に装着してもよい。
【実施例】
【００２２】
本考案人が屋外型コードリール（フランジ直径３０ｃｍ）に装着固定した防雨カバー４のサイズは、筒体１２の直径×長さが２２ｃｍ×７ｃｍ、筒状カバー１４の直径×長さが２２ｃｍ×１５ｃｍである。筒状カバー１４の直径を２２ｃｍにすることで、カバー内に手を入れてプラグの接続作業を行う空間を十分に確保することができた。また、筒状カバー１４の長さを１５ｃｍに設定することで、作業者の手首付近までカバーで覆うことができ、降雨中であっても、手首から先が濡れずに、プラグの接続作業を行うことができた。
【００２３】
プラグの接続作業後は、紐１６で先端開口部１４ａを絞って閉じることにより、風雨によってもプラグ付近が濡れることが無く、プラグの抜き取り作業においても感電することがないことを確認できた。
【産業上の利用可能性】
【００２４】
本考案の屋外型コードリールは、道路工事、家庭の庭先、キャンプ場等において、幅広く利用することができる。
【図面の簡単な説明】
【００２５】
【図１】本考案の屋外型コードリールを示す斜視図、
【図２】防雨カバーの筒状カバーを取り付ける状態を示す屋外型コードリールの斜視図、
【図３】図１の屋外型コードリールを側方から見た状態を示す図である。
【符号の説明】
【００２６】
１  屋外型コードリール
２  スタンド本体
３  巻取りドラム
４  防雨カバー
５  回転支持軸
５ａ  ナット
６  脚部
７  取っ手部
８  ドラム本体
９  フランジ
１０  延長電気コード
１０ａ  プラグ
１１  コンセント（接続端子）
１２  筒体
１３  接着テープ
１４  筒状カバー
１４ａ  先端開口部
１５  紐通し孔
１６  紐（開閉部材）
【図１】
0003111318.tif 000003
【図２】
0003111318.tif 000004
【図３】
0003111318.tif 000005